(57)【要約】【課題】地図の描画範囲に関わらず、広域地物に対応するエリアを表すオブジェクトについて、当該オブジェクトに関連する注記文字を、常に最適な位置に過不足なく表示することを可能にする。【解決手段】エリアを表すオブジェクト及びオブジェクトに関連する注記文字が表示される地図を出力する情報処理装置であって、オブジェクトに含まれる各座点標と注記文字の文字情報との対応関係を記憶する記憶手段と、地図の描画範囲に含まれるオブジェクトの座標点を抽出する抽出手段と、抽出した座標点から代表座標点を決定する決定、手段と、記憶した対応関係に基づいて、決定した代表座標点に対応する注記文字の文字情報を取得する取得手段と、取得した文字情報に基づいて注記文字を、地図上に表示させ地図を出力する出力手段とを備える。【選択図】図２
2015004894.tif 000002
【特許請求の範囲】
【請求項１】
エリアを表すオブジェクト及び前記オブジェクトに関連する注記文字が表示される地図を出力する情報処理装置であって、
前記オブジェクトに含まれる各座標点と前記注記文字の文字情報との対応関係を記憶する記憶手段と、
前記地図の描画範囲に含まれる、前記オブジェクトの座標点を抽出する抽出手段と、
前記抽出した座標点から代表座標点を決定する決定手段と、
前記記憶した対応関係に基づいて、前記決定した代表座標点に対応する前記注記文字の文字情報を取得する取得手段と、
前記取得した文字情報に基づいて注記文字を、前記地図上に表示させ、地図を出力する出力手段と、
を備える情報処理装置。
【請求項２】
前記オブジェクトに含まれる各座標点は、
前記オブジェクトを分割した領域である分割領域ごとに割り当てられたものであることを特徴とする請求項１記載の情報処理装置。
【請求項３】
前記分割領域のうち、少なくとも１つは他の分割領域とサイズが異なることを特徴とする請求項２記載の情報処理装置。
【請求項４】
前記決定手段は、
前記描画範囲に含まれるオブジェクトの中点、重心、中心のうちのいずれかの点からの距離に基づいて、代表座標点を決定するものであることを特徴とする請求項１から３いずれか一項に記載の情報処理装置。
【請求項５】
前記決定手段は、
前記抽出した座標点の平均値に対応する点からの距離に基づいて、代表座標点を決定するものであることを特徴とする請求項１から３いずれか一項に記載の情報処理装置。
【請求項６】
前記決定手段は、
前記描画範囲に含まれるオブジェクトの領域が不連続である場合に、不連続な部分領域ごとに前記代表座標点を決定することを特徴とする請求項１から５いずれか一項に記載の情報処理装置。
【請求項７】
制御部を備える情報処理装置において実施される、エリアを表すオブジェクト及び前記オブジェクトに関連する注記文字が表示される地図を出力する方法であって、
コンピュータが、
前記オブジェクトに含まれる各座標点と前記注記文字の文字情報との対応関係を記憶するステップと、
前記地図の描画範囲に含まれる、前記オブジェクトの座標点を抽出するステップと、
前記抽出した座標点から代表座標点を決定するステップと、
前記記憶した対応関係に基づいて、前記決定した代表座標点に対応する前記注記文字の文字情報を取得するステップと、
前記取得した文字情報に基づいて注記文字を、前記地図上に表示させ、地図を出力するステップと、
を実行する情報処理方法。
【請求項８】
エリアを表すオブジェクト及び前記オブジェクトに関連する注記文字が表示される地図を出力するプログラムであって、
コンピュータを、
前記オブジェクトに含まれる各座標点と前記注記文字の文字情報との対応関係を記憶する手段と、
前記地図の描画範囲に含まれる、前記オブジェクトの座標点を抽出する手段と、
前記抽出した座標点から代表座標点を決定する手段と、
前記作成した対応関係に基づいて、前記決定した代表座標点に対応する前記注記文字の文字情報を取得する手段と、
前記取得した文字情報に基づいて注記文字を、前記地図上に表示させ、地図を出力する手段と、
して機能させるプログラム。
【発明の詳細な説明】
【技術分野】
【０００１】
本発明は、端末装置に地図情報を出力する技術に関する。
【背景技術】
【０００２】
従来、携帯電話やスマートフォン、車載端末等の端末装置に地図情報を出力するサービスが多く提供されている。
【０００３】
特許文献１には、ディスプレイに地図情報を表示する地図表示装置において、地球観測衛星から送信される地表観測画像データを受信すると共に、受信した地表観測画像データから地図情報を構成する地図背景画像を作成し、これをディスプレイに表示する手段と、ディスプレイに表示される地図背景画像に、地図情報を構成する地図関連情報を重ねて表示する手段とを備える、地図表示装置に関する技術が開示されている。
【先行技術文献】
【特許文献】
【０００４】
【特許文献１】特開平７−２８４００号公報
【発明の概要】
【発明が解決しようとする課題】
【０００５】
しかしながら、例えば、特許文献１のような従来の技術では、広域の地物(海、湖、都道府県名、道路名称など)に対応するエリアの注記文字を地図上に配置する際、編集者などが注記文字を描画する座標点(例えば、緯度経度など)を予め決定していた。このため、地図の描画範囲によっては、同一のエリアの注記文字が、地図上に複数表示されたり、一切表示されなかったりしてしまい、注記文字を表示する際に、常には最適な位置に表示できなかった。
【０００６】
そこで、本発明は、上記事情に鑑み、地図の描画範囲に関わらず、広域地物に対応するエリアを表すオブジェクトについて、当該オブジェクトに関連する注記文字を、常に最適な位置に過不足なく表示できるようにすることを目的とするものである。
【課題を解決するための手段】
【０００７】
本発明の情報処理装置は、エリアを表すオブジェクト及びオブジェクトに関連する注記文字が表示される地図を出力する情報処理装置であって、オブジェクトに含まれる各座標点と注記文字の文字情報との対応関係を記憶する記憶手段と、地図の描画範囲に含まれる、オブジェクトの座標点を抽出する抽出手段と、抽出した座標点から代表座標点を決定する決定手段と、記憶した対応関係に基づいて、決定した代表座標点に対応する注記文字の文字情報を取得する取得手段と、取得した文字情報に基づいて注記文字を、地図上に表示させ、地図を出力する出力手段とを備える。
【０００８】
「オブジェクト」は、地図上に表示される地物に対応するエリアをいう。特に、オブジェクトは、海、湖、都道府県、道路などの広域地物に対応するエリアのことを指すものとしてもよい。
【０００９】
「座標点」は、座標情報を有した点をいう。例えば座標点は、緯度経度情報を有した点のことを指してもよい。
【００１０】
オブジェクトに含まれる各座標点は、オブジェクトを分割した領域である分割領域ごとに割り当てられたものであってもよい。
【００１１】
上記分割領域のうち、少なくとも１つは他の分割領域とサイズが異なることが望ましい。
【００１２】
また、決定手段は、描画範囲に含まれるオブジェクトの中点、重心、中心のうちのいずれかの点からの距離に基づいて、代表座標点を決定するものであってもよい。また、決定手段は、抽出した座標点の平均値に対応する点からの距離に基づいて、代表座標点を決定するものであってもよい。
【００１３】
さらに、決定手段は、描画範囲に含まれるオブジェクトの領域が不連続である場合に、不連続な部分領域ごとに代表座標点を決定することが望ましい。
【００１４】
本発明に係る情報処理方法は、制御部を備える情報処理装置において実施される、エリアを表すオブジェクト及びオブジェクトに関連する注記文字が表示される地図を出力する方法であって、コンピュータが、オブジェクトに含まれる各座標点と注記文字の文字情報との対応関係を記憶するステップと、地図の描画範囲に含まれる、オブジェクトの座標点を抽出するステップと、抽出した座標点から代表座標点を決定するステップと、記憶した対応関係に基づいて、決定した代表座標点に対応する注記文字の文字情報を取得するステップと、取得した文字情報に基づいて注記文字を、地図上に表示させ、地図を出力するステップと、を実行する。
【００１５】
また、本発明に係るプログラムは、エリアを表すオブジェクト及びオブジェクトに関連する注記文字が表示される地図を出力するプログラムであって、コンピュータを、オブジェクトに含まれる各座標点と注記文字の文字情報との対応関係を記憶する手段と、地図の描画範囲に含まれる、オブジェクトの座標点を抽出する手段と、抽出した座標点から代表座標点を決定する手段と、作成した対応関係に基づいて、決定した代表座標点に対応する注記文字の文字情報を取得する手段と、取得した文字情報に基づいて注記文字を、地図上に表示させ、地図を出力する手段として機能させる。
【００１６】
また、本発明のプログラムは、ＣＤ−ＲＯＭ等の光学ディスク、磁気ディスク、半導体メモリ等の各種の記録媒体を通じて、又は通信ネットワーク等を介してダウンロードすることにより、コンピュータにインストール又はロードすることができる。
【００１７】
また、本明細書等において、「部」とは、単に物理的構成を意味するものではなく、その構成が有する機能をソフトウェアによって実現する場合も含む。また、１つの構成が有する機能が２つ以上の物理的構成により実現されても、２つ以上の構成の機能が１つの物理的構成により実現されてもよい。
【発明の効果】
【００１８】
本発明の情報処理装置が、エリアを表すオブジェクト及びオブジェクトに関連する注記文字が表示される地図を出力する情報処理装置であって、オブジェクトに含まれる各座標点と注記文字の文字情報との対応関係を記憶する記憶手段と、地図の描画範囲に含まれるオブジェクトの座標点を抽出する抽出手段と、抽出した座標点から代表座標点を決定する決定手段と、記憶した対応関係に基づいて、決定した代表座標点に対応する注記文字の文字情報を取得する取得手段と、取得した文字情報に基づいて注記文字を、前記地図上に表示させ地図を出力する出力手段とを備えることによって、地図の描画範囲に関わらず、広域地物に対応するエリアを表すオブジェクトについて、当該オブジェクトに関連する注記文字を、常に最適な位置に過不足なく表示することが可能になる。
【図面の簡単な説明】
【００１９】
【図１】本発明の第１の実施形態における情報処理装置を含む通信システムのシステム構成図である。
【図２】本発明の第１の実施形態における情報処理装置のブロック図である。
【図３】本発明の第１の実施形態におけるオブジェクトリストを示す図である。
【図４】本発明の第１の実施形態における文字情報テーブルを示す図である。
【図５】本発明の第１の実施形態における部分領域を模式的に示す図である。
【図６】本発明の第１の実施形態における地図出力処理のフローを示すチャートである。
【図７】本発明の第１の実施形態における描画範囲を模式的に示す図である。
【図８】本発明の第１の実施形態における描画範囲を模式的に示す図である。
【発明を実施するための形態】
【００２０】
[第１の実施形態]
以下、本発明の第１の実施形態を図１乃至図８を用いて説明する。
【００２１】
図１は、本実施形態に係る情報処理装置１００を備える通信システムのシステム構成図を示している。図１に示すように情報処理装置１００は、インターネットや専用線等のネットワーク３００に接続されたサーバ用コンピュータである。また、この情報処理装置１００と同じく、ネットワーク３００に有線または無線で接続された携帯端末２００（携帯端末２００Ａ〜２００Ｄを総称して、携帯端末２００という）が、互いに通信可能に設定されることにより通信システムが構成される。
【００２２】
まず、通信システムの概要について、広域地物に対応するエリアを、オブジェクトとして表示するシステムを例にして説明する。
【００２３】
通信システムに含まれる情報処理装置１００は、エリアを表すオブジェクト及びオブジェクトに関連する注記文字が表示される地図を出力する。情報処理装置１００は、ユーザからの要求に応じて、地図に関する情報を、ユーザの携帯端末２００に送信し、携帯端末２００の画面上に地図を表示させる。本実施形態において、この地図は、固定されたサイズの表示領域に収まるように表示されるものとして説明する。そのため、地図の一辺で表される距離は、指定された縮尺に常に反比例することになる。
【００２４】
ユーザは、携帯端末２００を操作して、表示される地図の縮尺や、地図の中心地点の緯度経度を適宜調整することで、描画範囲を自由に変更することができる。ここで、描画範囲とは、表示領域内に表示される地図の範囲をいう。
【００２５】
情報処理装置１００は、地図の描画範囲に関わらず、地図に表示される広域地物等に対応するエリアを表すオブジェクトについて、当該オブジェクトに関連する注記文字を、常に最適な位置に過不足なく表示できるように制御することができる。
【００２６】
携帯端末２００は、ユーザが持ち運び可能な可搬性の端末装置である。具体的には、例えば、携帯電話やスマートフォン、ノートＰＣ、ＰＤＡ等によって実現される。図１には図示しないが、携帯端末２００は、ＣＰＵ及びメモリを含む主制御部、ネットワーク３００と接続するための通信部、ユーザからの操作を受け付けるタッチパネル等の入力部、画面を表示する表示部等を備えている。なお、本実施形態において、ユーザは携帯端末２００を用いて情報処理装置１００にアクセスするものとして説明するが、ユーザが利用する端末は必ずしも可搬性を備える必要はなく、例えば車載端末などであってもよい。
【００２７】
図２を用いて情報処理装置１００の各構成について説明する。図２は、情報処理装置１００のブロック図である。図２に示すように、情報処理装置１００は、制御部１１０と、入力部１２０と、記憶部１３０と、通信部１４０とを備えている。
【００２８】
制御部１１０は、ＣＰＵやＭＰＵ等の演算処理部１１１、及びＲＡＭ等のメモリ１１２を備えている。演算処理部１１１は、各種入力に基づき、記憶部１３０に記憶されたプログラムを実行することで、各種機能部を動作させる。このプログラムは、ＣＤ−ＲＯＭ等の記憶媒体に記憶され、もしくはネットワーク３００を介して配布され、コンピュータにインストールされるものであってもよい。メモリ１１２は、サーバ用プログラム及びこれらのプログラムにおいて処理の実行中に、演算等に必要な各種データを、一時的に記憶するためのものである。
【００２９】
入力部１２０は、情報処理装置１００の管理者からの操作を受け付けるように構成され、例えば、キーボードやマウス、タッチパネル等を用いて実現することが可能である。
【００３０】
記憶部１３０は、制御部１１０における処理の実行に必要な各種プログラムや、各種プログラムの実行に必要なデータ等を記憶しておくように構成され、例えば、ハードディスク等の記憶装置によって実現することが可能である。記憶部１３０は、オブジェクトリスト１３０Ａと、オブジェクトリスト１３０Ａに記載された各オブジェクトの文字情報テーブル１３０Ｂ１〜１３０ＢＮを有している。ここでＮは、オブジェクトリスト１３０Ａに含まれるオブジェクトの数を示している。
【００３１】
オブジェクトリスト１３０Ａには、図３に示すように、各オブジェクトのＩＤと、地図上の緯度経度の情報、そのオブジェクトを表示する縮尺の範囲、及びオブジェクトの画像データの格納場所が対応付けられて格納されている。例えば、描画範囲に、あるオブジェクトに対応する緯度経度が含まれていたとしても、そのオブジェクトの面積に対して、表示する縮尺が十分に小さく、広域が表示がされている場合、このオブジェクトは地図上に表示されない。これは、縮尺に関わらずすべてのオブジェクトを表示してしまうことで、地図がみづらくなってしまうのを防ぐためである。
【００３２】
図４は、あるオブジェクトの文字情報テーブル１３０Ｂｍを示す図である（ただし１≦ｍ≦Ｎ）。文字情報テーブル１３０Ｂｍには、そのオブジェクトに含まれる各座標点と注記文字の文字情報との対応関係が記憶されている。
【００３３】
座標点は、座標情報を有した点をいう。特に本実施形態では、座標点は、緯度経度情報を持った点として説明する。この座標点は、ユーザが最小の縮尺を指定して、最も広域の表示で、地図を表示するように要求したとしても、描画範囲に少なくとも１つの座標点が必ず含まれる程度に十分な粒度で割り当てられている。
【００３４】
図４に示すように、文字情報テーブル１３０Ｂｍには、各座標点のＩＤと、その座標点が有する緯度経度の情報、及び、その座標点に表示される文字情報のベクトルデータの保存場所が対応づけられ、格納されている。文字情報は、地図に記載される注記文字を表す情報をいう。
【００３５】
図２に戻り、情報処理装置１００の構成の続きを説明する。通信部１４０は、情報処理装置１００をネットワーク３００に接続するように構成される。例えば、通信部１４０は、ＬＡＮカード、アナログモデム、ＩＳＤＮモデム等、及び、これらをシステムバス等の伝送路を介して処理部と接続するためのインタフェース等を用いて実現することができる。
【００３６】
さらに、図２に示すように、演算処理部１１１は、機能部として、抽出部１１１Ａと、決定部１１１Ｂと、取得部１１１Ｃと、出力部１１１Ｄとを有している。
【００３７】
抽出部１１１Ａは、地図の描画範囲に含まれる、オブジェクトの各座標点を抽出するように構成される。抽出部１１１Ａは、携帯端末２００に表示される地図の中心となる緯度経度と、縮尺から、描画範囲を算出する。さらに文字情報テーブル１３０Ｂ１〜１３０ＢＮに記憶された各座標点と緯度経度情報の対応を参照することで、描画範囲内のオブジェクトの座標点を抽出することができる。
【００３８】
決定部１１１Ｂは、抽出部１１１Ａが抽出した座標点から代表座標点を決定するように構成される。例えば、決定部１１１Ｂは、抽出した座標点の平均値に対応する点からの距離に基づいて、代表座標点を決定するよう構成することができる。具体的には、抽出した座標点の平均値に対応する点から最も近い座標点を、代表座標点に決定する。また、決定部１１１Ｂは、平均値以外にも、描画範囲に含まれるオブジェクトの中点、重心、中心のうちのいずれかの点からの距離に基づいて、代表座標点を決定することもできる。
【００３９】
さらに、決定部１１１Ｂは、描画範囲に含まれるオブジェクトの領域が不連続である場合に、不連続な部分領域ごとに代表座標点を決定する。例えば、図５は、オブジェクトが２つの部分領域５０１、部分領域５０２に分割されて表示される例を示している。オブジェクトに凹部がある場合であって、この凹部が描画範囲４００に含まれる場合には、図５に示すように、オブジェクトが部分領域として表示されることがある。この場合、決定部１１１Ｂは、部分領域５０１、部分領域５０２のそれぞれに対して代表座標点を決定する。
【００４０】
取得部１１１Ｃは、文字情報テーブル１３０Ｂ１〜１３０ＢＮに記憶した対応関係に基づいて、決定部１１１Ｂが決定した代表座標点に対応する注記文字の文字情報を取得するように構成される。取得部１１１Ｃは、取得した文字情報と、その文字情報に対応するオブジェクトまたは部分領域に関する情報を、出力部１１１Ｄに渡す。
【００４１】
出力部１１１Ｄは、取得部１１１Ｃが取得した文字情報に基づいて注記文字を、地図上に表示させ、地図を出力するように構成される。従来、取得部１１１Ｃは、文字情報テーブル１３０Ｂ１〜１３０ＢＮに記憶されているもののうち、描画範囲に含まれるものすべてを取得し、出力部１１１Ｄに渡すように構成されていた。これに対し、本発明では、取得部１１１Ｃが、代表座標点に対応する注記文字の文字情報を取得して、出力部１１１Ｄへ渡すことで、代表座標点に対応する注記文字しか表示させないように制御している。
【００４２】
次に、図６を用いて、本実施形態における情報処理装置１００の処理フローについて説明する。図６は、情報処理装置１００の地図出力処理のフローを示すチャートである。なお、以下に説明する処理のフローに含まれる各処理ステップは、処理内容に矛盾を生じない範囲で、任意に順番を変更して又は並列に実行することができるとともに、各処理ステップ間に他のステップを追加してもよい。また、便宜上１ステップとして記載されているステップは、複数ステップに分けて実行することができる一方、便宜上複数ステップに分けて記載されているものは、１ステップとして把握することができる。
【００４３】
ユーザは携帯端末２００Ａを操作して、情報処理装置１００に対して、地図表示要求を送信する。このときユーザは、表示させたい地図の中心地点を指定位置として入力して要求を送信する。指定位置の入力は、緯度経度を入力させるものとしてもよいし、エリアを選択させるものとしてもよい。また、ユーザは、位置の指定と併せて表示する地図の縮尺を指定する。ユーザから送信された地図表示要求を、情報処理装置１００は、通信部１４０を介して受信する（Ｓ１０１:ＹＥＳ）。受信した指定位置の緯度経度及び縮尺をともなった地図表示要求は、抽出部１１１Ａに渡される。
【００４４】
抽出部１１１Ａは、受信した縮尺及び指定位置の緯度経度、並びに、あらかじめ定められている表示領域のサイズから、描画範囲を算出する。具体的には、基準となる縮尺における、描画範囲を表示領域のサイズから算出し、算出された値を初期値として記憶しておく。そして、指定された縮尺と基準となる縮尺との比率から、指定された縮尺における描画範囲を算出する。
【００４５】
そして、抽出部１１１Ａは、オブジェクトリスト１３０Ａを参照し、描画範囲に含まれるオブジェクトであって、ユーザに指定された縮尺が、表示すべき縮尺の範囲内に含まれる、表示すべきオブジェクトを、オブジェクトリスト１３０Ａから抽出する（Ｓ１０２）。さらに、抽出部１１１Ａは、描画範囲の緯度経度と、表示すべきオブジェクトの各座標点の緯度経度情報との対応関係から、描画範囲に含まれる各座標点を抽出する（Ｓ１０３）。
【００４６】
次に、決定部１１１Ｂは、抽出された座標点の平均に対応する点に基づいて、代表座標点を決定する（Ｓ１０４）。例えば、図７のように、描画範囲４００に、オブジェクト６０１が含まれるとする。このとき、描画範囲４００に含まれるオブジェクト６０１の各座標点Ｐ１〜Ｐ１０のＸ座標の平均値とＹ座標の平均値を有する平均座標Ａを算出する。そして、平均座標Ａからの距離が最も近い座標点Ｐ６が、決定部１１１Ｂによって、代表座標点として決定される。
【００４７】
また、図８のように、描画範囲４００にオブジェクト６０２とオブジェクト６０３が含まれるとする。図８に示すように、この描画範囲４００内において、オブジェクト６０３はオブジェクト６０２に包含されている。この場合、まず描画範囲４００内における領域の面積が小さいオブジェクト６０３について、上述した方法で、代表座標点が決定されるものとしてもよい。次に、オブジェクト６０２に対しても、上述したように、描画範囲に含まれる各座標点のＸ座標の平均値とＹ座標の平均値を有する平均座標Ａを算出する。決定部１１１Ｂは、オブジェクト６０２に含まれる座標点から、オブジェクト６０３の領域に含まれる座標点を除いた座標点のうち、平均座標Ａに最も近い座標点を、代表座標点に決定するものとしてもよい。
【００４８】
また、他にも図８のような場合、オブジェクト６０２の代表座標点を決定する際に、あらかじめオブジェクト６０３の領域を除いた領域に含まれる各座標点から、平均座標Ａを算出し、平均座標Ａに最も近い点を代表座標点に決定するものとしてもよい。
【００４９】
取得部１１１Ｃは、オブジェクトに対応する文字情報テーブルを参照し、代表座標点に対応する注記文字の文字情報を取得して、出力部１１１Ｄに渡す（Ｓ１０５）。出力部１１１Ｄは、取得部１１１Ｃから受け取った文字情報を表示させて、地図を作成し、携帯端末２００Ａに対して出力する（Ｓ１０６）。
【００５０】
ユーザが、指定位置または表示する縮尺について、変更した場合（Ｓ１０７：ＹＥＳ）には、再度Ｓ１０２の処理に戻り、抽出部１１１Ａが表示すべきオブジェクトをオブジェクトリスト１３０Ａから抽出する。ユーザからの接続が切断される（Ｓ１０８：ＹＥＳ）まで、上記Ｓ１０２からＳ１０７までの処理を繰り返し実行する。
【００５１】
このように、本発明に係る情報処理装置１００は、オブジェクトの描画範囲に含まれる各座標点から代表座標点を決定し、代表座標点についてのみ注記文字を表示させることで、広域地物に対応するエリアを表すオブジェクトについて、当該オブジェクトに関連する注記文字を描画範囲にかかわらず、常に最適な位置に過不足なく注記文字を表示することが可能となる。
【００５２】
[その他の実施形態]
以上、本発明の実施形態について述べたが、本発明は既述の実施形態に限定されるものではなく、本発明の技術的思想に基づいて各種の変形及び変更が可能である。
【００５３】
例えば、既述の実施形態において、オブジェクトには座標点が割り当てられているが、このオブジェクトに含まれる各座標点は、オブジェクトを分割した領域である分割領域ごとに割り当てられるものとしてもよい。
【００５４】
分割領域は、緯度経度に基づいて地図を分割して得られる複数の領域をいう。分割領域は、正方形の領域に限られるものではなく、仕様や設計に応じて適宜エリアの分割領域の形状やサイズを設定することができる。例えば、分割領域の形状は、四角形、六角形、ひし形等の多角形のような、オブジェクトを隙間なく分割できるものであることが望ましい。これによって、分割領域に座標点を割り当てた際に、一様に座標点を分布することが可能になる。
【００５５】
また分割領域のサイズは一定でなくてよく、例えば、分割領域のうち、少なくとも１つは他の分割領域とサイズが異なるものとしてもよい。具体的には、ユーザがあまり表示しないと考えられる、海や湖の中心の分割領域のサイズを大きく設定し、一方、湖畔や海岸部の分割領域のサイズを小さく設定することができる。また例えば、都市部の分割領域はより小さく（細かく）するようにしてもよい。また、人口統計情報によって地域毎に分割領域のサイズを変えたり（例えば人口が多い地域の分割領域は小さくする。）、市区町村の分類、宅地種別等に基づいてサイズを設定したりしてもよい。
【符号の説明】
【００５６】
１００                  情報処理装置
１１０                  制御部
１１１                  演算処理部
１１１Ａ                抽出部
１１１Ｂ                決定部
１１１Ｃ                取得部
１１１Ｄ                出力部
１１２                  メモリ
１２０                  入力部
１３０                  記憶部
１３０Ａ                オブジェクトリスト
１３０Ｂ１〜１３０ＢＮ  文字情報テーブル
１４０                  通信部
２００Ａ〜Ｄ            携帯端末
３００                  ネットワーク
４００                  描画範囲
５０１、５０２          部分領域
６０１〜６０３          描画範囲に含まれるオブジェクト
Ｐ１〜Ｐ１０            座標点
Ａ                      平均座標
【図１】
2015004894.tif 000003
【図２】
2015004894.tif 000004
【図３】
2015004894.tif 000005
【図４】
2015004894.tif 000006
【図５】
2015004894.tif 000007
【図６】
2015004894.tif 000008
【図７】
2015004894.tif 000009
【図８】
2015004894.tif 000010